(57)【要約】【課題】他の什器と連結されると共に引出し機構を備える引出し付什器において、他の什器との間で架け渡される配線が作業者の邪魔とならないように引き回すことを可能とする。【解決手段】箱状の引出し本体２１と当該引出し本体２１をスライド可能に支持する支持レールとを有する引出し機構１３を有すると共に他の什器と連結可能な引出し付什器であって、引出し本体２１は、底板２２と、当該底板２２から上方に向かって延在すると共に引出し本体２１の内部と引出し本体２１の外部とを連通する配線挿通部２３ａを有する前面パネル２３及び第１配線挿通部２４ａ、第２配線挿通部２４ｂ、第３配線挿通部２４ｃを有する背面パネル２４とを備え、上記他の什器との間で架け渡される電源配線Ｈ１及びＬＡＮ配線Ｈ２が引出し本体２１を介して送り配線可能とされている。【選択図】図３
2015084997.tif 000002
【特許請求の範囲】
【請求項１】
箱状の引出し本体と当該引出し本体をスライド可能に支持する支持手段とを有する引出し機構を有すると共に他の什器と連結可能な引出し付什器であって、
前記引出し本体は、底板と、当該底板から上方に向かって延在する立片とを備え、
前記立片のうち少なくとも前記他の什器に対向配置される立片に対して、引出し本体の内部と引出し本体の外部とを連通する配線挿通部が設けられ、
前記他の什器との間で架け渡される配線が前記引出し本体を介して送り配線可能とされていることを特徴とする引出し付什器。
【請求項２】
作業面を形成する天板と、当該天板を支持する複数の脚部とを備え、前記脚部同士の間に前記引出し本体が設けられていることを特徴とする請求項１記載の引出し付什器。
【請求項３】
前記天板の平面視形状が矩形であり、当該矩形の４辺の各々に対して前記引出し本体が設けられていることを特徴とする請求項２記載の引出し付什器。
【請求項４】
前記天板の下面に固定されると共に前記引出し本体を介して送り配線された前記配線を支持するダクトを備えることを特徴とする請求項２または３記載の引出し付什器。
【請求項５】
前記配線挿通部を囲って配設されると共に切欠きが形成された可撓性環状部材を備えることを特徴とする請求項１〜４いずれか一項に記載の引出し付什器。
【請求項６】
前記配線挿通部は、上方に向けて開放された凹部からなることを特徴とする請求項１〜５いずれか一項に記載の引出し付什器。
【請求項７】
前記配線挿通部が設けられた前記立片として、前記引出し本体の前面側を形成する前面パネルと、前記引出し本体の背面側を形成する背面パネルとを備えることを特徴とする請求項１〜６いずれか一項に記載の引出し付什器。
【発明の詳細な説明】
【技術分野】
【０００１】
本発明は、引出し付什器に関するものである。
【背景技術】
【０００２】
例えば、特許文献１〜３には、作業面を形成する天板と、この天板を支持する脚部とを備えたテーブル什器が記載されている。オフィスや公共施設等における執務空間においては、作業を行う際に、このようなテーブル什器を使用することが一般的となっている。こうしたテーブル什器は、例えば前後左右等の様々な方向からアクセス可能とされており、個別の集中作業やミーティング、定席使用やフリーアドレス使用等の多種多様な使用形態に柔軟に対応可能とされている。また、大人数によるミーティングや広い作業面を必要とする作業では、複数のテーブル什器が並べて使用される。
【先行技術文献】
【特許文献】
【０００３】
【特許文献１】特許第４４２０４１３号公報
【特許文献２】特開２０００−２４５５３８号公報
【特許文献３】特開２０１３−１０２９９４号公報
【発明の概要】
【発明が解決しようとする課題】
【０００４】
ところで、近年においては、テーブル什器の作業面において電源が必要なパーソナルコンピュータ等の電子機器を用いた作業が多く行われている。このため、複数のテーブル什器を並べて使用するような場合には、電源に繋がる配線の引き回しが問題となる。また、複数の電子機器を使用する場合には、電子機器同士を接続する配線を用いる場合もあり、このような配線の引き回しも同様に問題となる。例えば、作業面上に配線を引き回したり、床面に配線を引き回したりすることも考えられるが、このような場合には、配線が作業の邪魔となったり、作業者の下肢に接触して不快感を与える等の問題が生じる。
【０００５】
このため、このような問題を解決するためには、テーブル什器の内部等を介して上記配線を引き回すことが望ましい。しかしながら、テーブル什器の天板の下方に引出し機構が設けられている場合には、配線を邪魔にならないように引き回すことが難しい。
【０００６】
なお、このような配線が邪魔となる問題は、テーブル什器に限られず、連結された他の什器との間で配線が架け渡されると共に、引出し機構を備える什器（引出し付什器）全般において生じる。
【０００７】
本発明は、上述する問題点に鑑みてなされたもので、他の什器と連結されると共に引出し機構を備える引出し付什器において、他の什器との間で架け渡される配線が作業者の邪魔とならないように引き回すことを可能とすることを目的とする。
【課題を解決するための手段】
【０００８】
本発明は、上記課題を解決するための手段として、以下の構成を採用する。
【０００９】
第１の発明は、箱状の引出し本体と当該引出し本体をスライド可能に支持する支持手段とを有する引出し機構を有すると共に他の什器と連結可能な引出し付什器であって、上記引出し本体が、底板と、当該底板から上方に向かって延在する立片とを備え、上記立片のうち少なくとも上記他の什器に対向配置される立片に対して、引出し本体の内部と引出し本体の外部とを連通する配線挿通部が設けられ、上記他の什器との間で架け渡される配線が上記引出し本体を介して送り配線可能とされているという構成を採用する。
【００１０】
このような構成を採用する本発明によれば、箱状の引出し本体が備える他の什器に対向配置される立片に対して、引出し本体の内部と外部とを連通する配線挿通部が設けられているため、この配線挿通部を介して配線を引出し本体の内部に取り込むことができる。このため、他の什器との間で架け渡される配線を、引出し本体の内部を通過させて引き回すことができ、引き回された配線が作業者等に接触することを防止することができる。したがって、本発明によれば、引出し本体が収容されたまま他の什器と連結されたときであっても、他の什器との間で架け渡される配線が作業者の邪魔とならないように引き回すことが可能となる。
【００１１】
第２の発明は、上記第１の発明において、作業面を形成する天板と、当該天板を支持する複数の脚部とを備え、上記脚部同士の間に上記引出し本体が設けられているという構成を採用する。
【００１２】
このような構成を採用する本発明によれば、作業面を形成する天板と、この天板を支持する複数の脚部とを備えている。このため、本発明の引出し付什器を、テーブル什器として使用することが可能となる。
【００１３】
第３の発明は、上記第２の発明において、上記天板の平面視形状が矩形であり、当該矩形の４辺の各々に対して上記引出し本体が設けられているという構成を採用する。
【００１４】
このような構成を採用する本発明によれば、複数の引出し本体が設置されることになるため、引出し本体を使用できる範囲を広げることが可能となる。また、前後左右のどの方向から引出し付什器にアクセスした場合であっても、引出し本体を使用することができる。
【００１５】
第４の発明は、上記第２または第３の発明において、上記天板の下面に固定されると共に上記引出し本体を介して送り配線された上記配線を支持するダクトを備えるという構成を採用する。
【００１６】
このような構成を採用する本発明によれば、大型の天板を用いた場合であっても、引出し本体の外部で配線をダクトによって支持することができる。よって、容易に大型の天板を採用することができ、テーブル什器としての利便性を向上させることができる。
【００１７】
第５の発明は、上記第１〜第４のいずれかの発明において、上記配線挿通部を囲って配設されると共に切欠きが形成された可撓性環状部材を備えるという構成を採用する。
【００１８】
このような構成を採用する本発明によれば、配線挿通部を通過する配線が、可撓性環状部材に囲われるため、配線挿通部から抜け出ることが防止することができる。また、可撓性環状部材が切欠きを有していることから、切欠きを広げるように可撓性環状部材を変形させることで、配線を配線挿通部に容易に通すことが可能となり、配線の設置作業が容易となる。
【００１９】
第６の発明は、上記第１〜第５いずれかの発明において、上記配線挿通部が、上方に向けて開放された凹部からなるという構成を採用する。
【００２０】
このような構成を採用する本発明によれば、配線を上方から下すことによって容易に配線挿通部に設置することができ、配線の設置作業が容易となる。
【００２１】
第７の発明は、上記第１〜第６いずれかの発明において、上記配線挿通部が設けられた上記立片として、上記引出し本体の前面側を形成する前面パネルと、上記引出し本体の背面側を形成する背面パネルとを備えるという構成を採用する。
【００２２】
このような構成を採用する本発明によれば、前面パネルと背面パネルとに配線挿通部が設けられることから、引出し本体内において配線を直線状に配設することができる。このため、配線への負荷を低減させることができる。
【発明の効果】
【００２３】
本発明によれば、連結される他の什器との間で架け渡される配線が引出し本体を介して送り配線可能とされている。このため、引出し本体が設置されたまま、作業者の邪魔となることなく配線を引き回すことが可能となる。
【図面の簡単な説明】
【００２４】
【図１】全ての引出しが収容された状態における本発明の一実施形態における第一テーブル什器及び第二テーブル什器を含むテーブルシステムの斜視図である。
【図２】全ての引出しが引き出された状態における本発明の一実施形態における第一テーブル什器及び第二テーブル什器を含むテーブルシステムの斜視図である。
【図３】本発明の一実施形態における第一テーブル什器が備える引出し本体の斜視図である。
【図４】本発明の一実施形態における第一テーブル什器及び第二テーブル什器を含むテーブルシステムにおける模式的な配線図である。
【発明を実施するための形態】
【００２５】
以下、図面を参照して、本発明に係る引出し付什器の一実施形態について説明する。なお、以下の図面において、各部材を認識可能な大きさとするために、各部材の縮尺を適宜変更している。
【００２６】
本実施形態においては、本発明の引出し付什器の一実施形態である第一テーブル什器１００（テーブル什器）及び第二テーブル什器２００（テーブル什器）を備えるテーブルシステム１について説明する。図１は、全ての引出し本体２１が収容された状態における本実施形態のテーブルシステム１の斜視図である。また、図２は、引出し本体２１が引き出された状態における本実施形態のテーブルシステム１の斜視図である。
【００２７】
これらの図に示すように、テーブルシステム１は、第一テーブル什器１００、第二テーブル什器２００及びモニタースタンド３００を備えている。なお、以下においては、説明の便宜上、図１及び図２の矢印に示すように、第一テーブル什器１００、第二テーブル什器２００及びモニタースタンド３００が連結される方向を左右方向とし、これと直交する水平方向を前後方向とする。
【００２８】
第一テーブル什器１００は、天板１１、脚部１２、引出し機構１３及びダクト１４を備えている。天板１１は、上面が作業面１１ａとされた板状部材である。この天板１１は、平面視形状が正方形（矩形）とされており、作業面１１ａがコンセント等の設けられていない平面とされている。このような天板１１は、上方から見て、４つの辺が各々前側、後側、左側、右側に向くように配置されている。なお、天板１１の裏面（下面）側には、脚部１２等をネジ止めするためのネジ穴が複数設けられている。
【００２９】
脚部１２は、４か所に設けられており、図１及び図２に示すように天板１１の角部に設けられている。各脚部１２の下端部には、前後方向に向けて配置される回転軸によって回転可能に支持されたローラが設けられている。これによって、第一テーブル什器１００は左右方向に移動可能とされている。なお、以下の説明では、天板１１の前側を向く辺と右側向く辺とによって形成される角部に設けられた脚部１２を第１脚部１２ａと称し、右側を向く辺と後側を向く辺とによって形成される角部に設けられた脚部１２を第２脚部１２ｂと称し、後側を向く辺と左側を向く辺とによって形成される角部に設けられた脚部１２を第３脚部１２ｃと称し、左側を向く辺と前側を向く辺とによって形成される角部に設けられた脚部１２を第４脚部１２ｄと称する。
【００３０】
引出し機構１３は、脚部１２同士の間に配置されている。本実施形態においては、全ての脚部１２同士の間に引出し機構１３が設置されている。なお、以下の説明では、第１脚部１２ａと第２脚部１２ｂとの間に設置された引出し機構１３を第１引出し機構１３ａと称し、第２脚部１２ｂと第３脚部１２ｃとの間に設置された引出し機構１３を第２引出し機構１３ｂと称し、第３脚部１２ｃと第４脚部１２ｄとの間に設置された引出し機構１３を第３引出し機構１３ｃと称し、第４脚部１２ｄと第１脚部１２ａとの間に設置された引出し機構１３を第４引出し機構１３ｄと称する。
【００３１】
第１引出し機構１３ａは、支持レール２０（支持手段）と、引出し本体２１とから構成されている。支持レール２０は、天板１１の裏面に固定されており、引出し本体２１をスライド可能に支持する。この支持レール２０は、１つの引出し本体２１に対して２つ設けられており、一方の支持レール２０が引出し本体２１の引出し方向と直交する方向（前後方向）における一方の端部を支持し、他方の支持レール２０が引出し本体２１の他方の端部を支持する。
【００３２】
図３は、引出し本体２１の斜視図であり、（ａ）が引出し本体２１のみを示す斜視図であり、（ｂ）が引出し本体２１に加えて電源配線Ｈ１及びＬＡＮ配線Ｈ２を図示した斜視図である。これらの図に示すように、引出し本体２１は、底板２２と、前面パネル２３と、背面パネル２４と、側面パネル２５とを備えている。底板２２は、略矩形状の板部材であり、前面パネル２３と、背面パネル２４と、側面パネル２５とを支持する。
【００３３】
前面パネル２３は、底板２２の右側の縁に沿うように底板２２に対して立設された立片である。この前面パネル２３には、図３に示すように、上方に向けて開放された凹部からなる配線挿通部２３ａが設けられている。この配線挿通部２３ａは、引出し本体２１の内部と外部とを連通する開口であり、引出し本体２１が収納状態であっても引出し本体２１の外部から内部または内部から外部に電源配線Ｈ１及びＬＡＮ配線Ｈ２を引き回すことを可能とする部位である。なお、第１引出し機構１３ａにおいては、配線挿通部２３ａは、引出し本体２１を引き出すための取っ手としても機能する。
【００３４】
背面パネル２４は、底板２２の左側の縁に沿うように底板２２に対して立設された立片である。この背面パネル２４には、図３に示すように、上方に向けて開放された凹部からなる第１配線挿通部２４ａ、第２配線挿通部２４ｂ及び第３配線挿通部２４ｃが設けられている。これらの第１配線挿通部２４ａ、第２配線挿通部２４ｂ及び第３配線挿通部２４ｃは、前面パネル２３の配線挿通部２３ａと同様に、引出し本体２１が収納状態であっても引出し本体２１の外部から内部または内部から外部に電源配線Ｈ１及びＬＡＮ配線Ｈ２を引き回すことを可能とする部位である。
【００３５】
第１配線挿通部２４ａは、第２配線挿通部２４ｂ及び第３配線挿通部２４ｃに対して広く形成されており、太い配線や位置調整が必要な配線を挿通させるのに適している。第２配線挿通部２４ｂ及び第３配線挿通部２４ｃは、第１配線挿通部２４ａより狭い開口とされており、細い配線や移動させる必要のない配線を挿通させるのに適している。
【００３６】
また、第２配線挿通部２４ｂ及び第３配線挿通部２４ｃには、これらの第２配線挿通部２４ｂ及び第３配線挿通部２４ｃを囲って配設されると共に切欠き２４ｅが形成された可撓性環状部材２４ｄが設けられている。この可撓性環状部材２４ｄは、可撓性環状部材２４ｄを切断するように設けられた切欠き２４ｅを通じて電源配線Ｈ１及びＬＡＮ配線Ｈ２を出し入れ可能とされている。このような可撓性環状部材２４ｄを設けることによって、第２配線挿通部２４ｂ及び第３配線挿通部２４ｃに挿通された電源配線Ｈ１及びＬＡＮ配線Ｈ２が第２配線挿通部２４ｂ及び第３配線挿通部２４ｃから抜け出ることを防止することができる。
【００３７】
側面パネル２５は、前面パネル２３と背面パネル２４の端部同士に接続された立片である。この側面パネル２５の外面側には、支持レール２０に当接される突出部２０ａが設けられている。
【００３８】
このように、引出し本体２１は、底板２２と、底板２２から上方に向かって延在すると共に引出し本体２１の内部と引出し本体２１の外部とを連通する配線挿通部（配線挿通部２３ａ、第１配線挿通部２４ａ、第２配線挿通部２４ｂ及び第３配線挿通部２４ｃ）を有する立片（前面パネル２３及び背面パネル２４）とを有する箱状の部材とされている。
【００３９】
第２引出し機構１３ｂ、第３引出し機構１３ｃ及び第４引出し機構１３ｄは、引出し本体２１及び支持レール２０の向きが異なる。例えば、第２引出し機構１３ｂの引出し本体２１は、前面パネル２３が後側を向けて配置される。第３引出し機構１３ｃの引出し本体２１は、前面パネル２３が左側を向けて配置される。第４引出し機構１３ｄの引出し本体２１は、前面パネル２３が前側を向けて配置される。他の構成については、  第２引出し機構１３ｂ、第３引出し機構１３ｃ及び第４引出し機構１３ｄは、第１引出し機構１３ａと同様の構成をしているため、ここでの詳細な説明を省略する。
【００４０】
図１に戻り、ダクト１４は、上方から見て天板１１の中央に配置されるように、天板１１の下面に固定されている。このダクト１４は、引出し本体２１等を介して送り配線された電源配線Ｈ１及びＬＡＮ配線Ｈ２を支持可能とされている。
【００４１】
第二テーブル什器２００は、第一テーブル什器１００と略同一の構成を有している。ここでは、第二テーブル什器２００の第一テーブル什器１００と異なる点のみについて説明する。
【００４２】
第二テーブル什器２００の各脚部１２の下端部には、第一テーブル什器１００の各脚部１２の下端部に設けられているローラに替わり、アジャスタが設けられている。これは、第一テーブル什器１００は、テーブルシステム１の使用態様に柔軟に対応するために、第二テーブル什器２００及びモニタースタンド３００に対して移動可能とされているのに対して、第二テーブル什器２００は、あまり移動させることがないモニタースタンド３００と連結されており、移動することを前提としていないためである。
【００４３】
また、第二テーブル什器２００においては、第一テーブル什器１００における第３引出し機構１３ｃの引出し本体２１が取り外されている。これは、当該引出し本体２１が収容される空間に引出し本体２１に替えてモニタースタンド３００の固定用アーム３０が挿入されるためである。
【００４４】
モニタースタンド３００は、上述の固定用アーム３０、モニターＭが固定されるモニター支持部３１、通信機器等を収容するコンソールボックス３２、モニターＭの裏側を囲うバックパネル３３及びバックパネル３３の下方を覆うアンダーカバー３４等を備えている。このようなモニタースタンド３００は、床面から取り出された電源配線Ｈ１及びＬＡＮ配線Ｈ２（あるいは他の通信用配線）をモニターＭやコンソールボックス３２内部に引き込み可能とされている。
【００４５】
これらの第一テーブル什器１００、第二テーブル什器２００及びモニタースタンド３００は、左右方向に配列されて連結されている。モニタースタンド３００と第二テーブル什器２００とは、モニタースタンド３００の固定用アーム３０が、取り外された第３引出し機構１３ｃの引出し本体２１の収容空間に挿入され、この固定用アーム３０が第二テーブル什器２００の天板１１に固定されることによって連結されている。
【００４６】
第二テーブル什器２００と第一テーブル什器１００とは、第二テーブル什器２００の第１引出し機構１３ａと、第一テーブル什器１００の第３引出し機構１３ｃとが対向するようにして、不図示の連結器具によって連結されている。このように第二テーブル什器２００と第一テーブル什器１００とが連結されることによって、本実施形態においては、第二テーブル什器２００の第１引出し機構１３ａの引出し本体２１と、第一テーブル什器１００の第３引出し機構１３ｃの引出し本体２１とは、図２に示すように、引き出すことはできなくなっている。
【００４７】
なお、本実施形態においては、第一テーブル什器１００及び第二テーブル什器２００が、本発明の引出し付什器に相当する。本発明の引出し付什器は、他の什器と連結可能なものである。ここで、第一テーブル什器１００を引出し付什器として見た場合には、第二テーブル什器２００が本発明における他の什器に相当し、第二テーブル什器２００を引出し付什器として見た場合には、第一テーブル什器１００及びモニタースタンド３００が本発明における他の什器に相当する。つまり、第一テーブル什器１００及び第二テーブル什器２００は、本発明の引出し付什器に相当すると同時に本発明の他の什器にも相当する。
【００４８】
図４は、本実施形態のテーブルシステム１において引き回される電源配線Ｈ１及びＬＡＮ配線Ｈ２を模式的に示す配線図である。床面から引き出された電源配線Ｈ１は、電源タップ付きの配線が複数接続されることによって形成されており、図４に示すように、モニタースタンド３００に引き込まれ、モニタースタンド３００から第二テーブル什器２００の天板１１の下側を通り、第二テーブル什器２００のダクト１４に載置された電源タップＨ１１から、第二テーブル什器２００の第１引出し機構１３ａ方向と、第２引出し機構１３ｂ方向と、第４引出し機構１３ｄ方向との３方向に分岐されている。
【００４９】
第二テーブル什器２００のダクト１４から第１引出し機構１３ａ方向に分岐された電源配線Ｈ１は、第二テーブル什器２００の第１引出し機構１３ａの引出し本体２１に設けられた第１配線挿通部２４ａを通じて当該引出し本体２１の内部に引き込まれ、また配線挿通部２３ａを通じて当該引出し本体２１の外部に送り出されている。
【００５０】
さらに、当該電源配線Ｈ１は、第一テーブル什器１００の第３引出し機構１３ｃの引出し本体２１に設けられた配線挿通部２３ａを通じて当該引出し本体２１の内部に引き込まれ、また第１配線挿通部２４ａを通じて当該引出し本体２１の外部に送り出されている。このように第一テーブル什器１００の第３引出し機構１３ｃの引出し本体２１から送り出された電源配線Ｈ１は、第一テーブル什器１００のダクト１４に載置された電源タップＨ１２から、第一テーブル什器１００の第１引出し機構１３ａ方向と、第２引出し機構１３ｂ方向と、第４引出し機構１３ｄ方向との３方向に分岐されている。
【００５１】
第二テーブル什器２００の電源タップＨ１１から第二テーブル什器２００の第２引出し機構１３ｂ方向に分岐された電源配線Ｈ１は、電源タップＨ１３が第二テーブル什器２００の第２引出し機構１３ｂの引出し本体２１に収容されるように、当該引出し本体２１の第２配線挿通部２４ｂを通じて引き回されている。また、第二テーブル什器２００の電源タップＨ１１から第二テーブル什器２００の第４引出し機構１３ｄ方向に分岐された電源配線Ｈ１は、電源タップＨ１４が第二テーブル什器２００の第４引出し機構１３ｄの引出し本体２１に収容されるように、当該引出し本体２１の第２配線挿通部２４ｂを通じて引き回されている。
【００５２】
また、第一テーブル什器１００の電源タップＨ１２から第一テーブル什器１００の第１引出し機構１３ａ方向に分岐された電源配線Ｈ１は、電源タップＨ１５が第一テーブル什器１００の第１引出し機構１３ａの引出し本体２１に収容されるように、当該引出し本体２１の第２配線挿通部２４ｂを通じて引き回されている。また、第一テーブル什器１００の電源タップＨ１２から第一テーブル什器１００の第２引出し機構１３ｂ方向に分岐された電源配線Ｈ１は、電源タップＨ１６が第一テーブル什器１００の第２引出し機構１３ｂの引出し本体２１に収容されるように、当該引出し本体２１の第２配線挿通部２４ｂを通じて引き回されている。また、第一テーブル什器１００の電源タップＨ１２から第一テーブル什器１００の第４引出し機構１３ｄ方向に分岐された電源配線Ｈ１は、電源タップＨ１７が第一テーブル什器１００の第４引出し機構１３ｄの引出し本体２１に収容されるように、当該引出し本体２１の第２配線挿通部２４ｂを通じて引き回されている。
【００５３】
床面から引き出されたＬＡＮ配線Ｈ２は、コンソールボックス３２に設置されたルータＲによって、第二テーブル什器２００の第２引出し機構１３ｂ方向と、第二テーブル什器２００の第４引出し機構１３ｄ方向と、第一テーブル什器１００の第１引出し機構１３ａ方向と、第一テーブル什器１００の第２引出し機構１３ｂ方向と、第一テーブル什器１００の第４引出し機構１３ｄ方向との５方向に分岐されている。
【００５４】
第二テーブル什器２００の第２引出し機構１３ｂ方向に分岐されたＬＡＮ配線Ｈ２は、第二テーブル什器２００のダクト１４を通じ、さらに第二テーブル什器２００の第２引出し機構１３ｂの引出し本体２１に設けられた第２配線挿通部２４ｂを通じて、モジュラージャックＨ２１が当該引出し本体２１に収容されるように引き回されている。また、第二テーブル什器２００の第４引出し機構１３ｄ方向に分岐されたＬＡＮ配線Ｈ２は、第二テーブル什器２００のダクト１４を通じ、さらに第二テーブル什器２００の第４引出し機構１３ｄの引出し本体２１に設けられた第２配線挿通部２４ｂを通じて、モジュラージャックＨ２２が当該引出し本体２１に収容されるように引き回されている。
【００５５】
また、第一テーブル什器１００の第１引出し機構１３ａ方向に分岐されたＬＡＮ配線Ｈ２は、第二テーブル什器２００のダクト１４を通じ、第二テーブル什器２００の第１引出し機構１３ａの引出し本体２１に設けられた第１配線挿通部２４ａを通じて当該引出し本体２１の内部に引き込まれ、当該引出し本体２１に設けられた配線挿通部２３ａを通じて当該引出し本体２１の外部に送り出される。さらに、第二テーブル什器２００の第１引出し機構１３ａの引出し本体２１から送り出されたＬＡＮ配線Ｈ２は、第一テーブル什器１００の第３引出し機構１３ｃの引出し本体２１に設けられた配線挿通部２３ａを介して引出し本体２１に引き込まれ、当該引出し本体２１に設けられた第１配線挿通部２４ａを通じて当該引出し本体２１の外部に送り出される。さらに、第一テーブル什器１００の第３引出し機構１３ｃの引出し本体２１から送り出されたＬＡＮ配線Ｈ２は、第一テーブル什器１００のダクト１４を通じ、さらに第一テーブル什器１００の第１引出し機構１３ａの引出し本体２１に設けられた第２配線挿通部２４ｂを通じて、モジュラージャックＨ２３が当該引出し本体２１に収容されるように引き回されている。
【００５６】
また、第一テーブル什器１００の第２引出し機構１３ｂ方向に分岐されたＬＡＮ配線Ｈ２は、第二テーブル什器２００のダクト１４を通じ、第二テーブル什器２００の第１引出し機構１３ａの引出し本体２１に設けられた第１配線挿通部２４ａを通じて当該引出し本体２１の内部に引き込まれ、当該引出し本体２１に設けられた配線挿通部２３ａを通じて当該引出し本体２１の外部に送り出される。さらに、第二テーブル什器２００の第１引出し機構１３ａの引出し本体２１から送り出されたＬＡＮ配線Ｈ２は、第一テーブル什器１００の第３引出し機構１３ｃの引出し本体２１に設けられた配線挿通部２３ａを介して引出し本体２１に引き込まれ、当該引出し本体２１に設けられた第１配線挿通部２４ａを通じて当該引出し本体２１の外部に送り出される。さらに、第一テーブル什器１００の第３引出し機構１３ｃの引出し本体２１から送り出されたＬＡＮ配線Ｈ２は、第一テーブル什器１００のダクト１４を通じ、さらに第一テーブル什器１００の第２引出し機構１３ｂの引出し本体２１に設けられた第２配線挿通部２４ｂを通じて、モジュラージャックＨ２４が当該引出し本体２１に収容されるように引き回されている。
【００５７】
また、第一テーブル什器１００の第４引出し機構１３ｄ方向に分岐されたＬＡＮ配線Ｈ２は、第二テーブル什器２００のダクト１４を通じ、第二テーブル什器２００の第１引出し機構１３ａの引出し本体２１に設けられた第１配線挿通部２４ａを通じて当該引出し本体２１の内部に引き込まれ、当該引出し本体２１に設けられた配線挿通部２３ａを通じて当該引出し本体２１の外部に送り出される。さらに、第二テーブル什器２００の第１引出し機構１３ａの引出し本体２１から送り出されたＬＡＮ配線Ｈ２は、第一テーブル什器１００の第３引出し機構１３ｃの引出し本体２１に設けられた配線挿通部２３ａを介して引出し本体２１に引き込まれ、当該引出し本体２１に設けられた第１配線挿通部２４ａを通じて当該引出し本体２１の外部に送り出される。さらに、第一テーブル什器１００の第３引出し機構１３ｃの引出し本体２１から送り出されたＬＡＮ配線Ｈ２は、第一テーブル什器１００のダクト１４を通じ、さらに第一テーブル什器１００の第４引出し機構１３ｄの引出し本体２１に設けられた第２配線挿通部２４ｂを通じて、モジュラージャックＨ２５が当該引出し本体２１に収容されるように引き回されている。
【００５８】
なお、第１配線挿通部２４ａ、第２配線挿通部２４ｂ及び第３配線挿通部２４ｃのうち、いずれかの配線挿通部を通じて電源配線Ｈ１及びＬＡＮ配線Ｈ２を引き回すかは任意に変更可能である。また、ここで説明する配線パターンは一例であり、配線種類や配線本数等は任意に変更可能である。例えば、モニターＭと天板１１上に載置されるパーソナルコンピュータとを接続するための通信配線を引き回しても良い。
【００５９】
以上のような第一テーブル什器１００及び第二テーブル什器２００によれば、箱状の引出し本体２１が備える立片である前面パネル２３及び背面パネル２４に対して、引出し本体２１の内部と外部とを連通する配線挿通部（配線挿通部２３ａ、第１配線挿通部２４ａ、第２配線挿通部２４ｂ及び第３配線挿通部２４ｃ）を備えているため、この配線挿通部を介して電源配線Ｈ１及びＬＡＮ配線Ｈ２を引出し本体２１の内部に取り込むことができる。このため、他の什器（例えば、第一テーブル什器１００から見た第二テーブル什器２００、及び第二テーブル什器２００から見た第一テーブル什器１００）との間で架け渡される配線を、引出し本体２１の内部を通過させて引き回すことができ、引き回された電源配線Ｈ１及びＬＡＮ配線Ｈ２が作業者等に接触することを防止することができる。したがって、本実施形態の第一テーブル什器１００及び第二テーブル什器２００によれば、引出し本体２１が収容されたまま他の什器と連結されたときであっても、他の什器との間で架け渡される配線が作業者の邪魔とならないように引き回すことが可能となる。
【００６０】
また、本実施形態の第一テーブル什器１００及び第二テーブル什器２００は、作業面１１ａを形成する天板１１と、当該天板１１を支持する複数の脚部１２とを備え、脚部１２同士の間に引出し本体２１が設けられている。このため、テーブル什器として使用することが可能となる。
【００６１】
また、本実施形態の第一テーブル什器１００及び第二テーブル什器２００は、天板１１の平面視形状が矩形であり、当該矩形の４辺の各々に対して引出し本体２１が設けられている。このため、複数の引出し本体２１が設置されることになるため、引出し本体２１を使用できる範囲を広げることが可能となる。また、他の什器が連結されている方向を除き、前後左右のどの方向からアクセスした場合であっても、引出し本体２１を使用することができる。
【００６２】
また、本実施形態の第一テーブル什器１００及び第二テーブル什器２００は、天板１１の下面に固定されると共に引出し本体２１を介して送り配線された電源配線Ｈ１及びＬＡＮ配線Ｈ２を支持するダクト１４を備える。このため、大型の天板１１を用いた場合であっても、引出し本体２１の外部で電源配線Ｈ１及びＬＡＮ配線Ｈ２をダクト１４によって支持することができる。よって、容易に大型の天板１１を採用することができ、テーブル什器としての利便性を向上させることができる。
【００６３】
また、本実施形態の第一テーブル什器１００及び第二テーブル什器２００は、第２配線挿通部２４ｂ及び第３配線挿通部２４ｃを囲って配設されると共に切欠き２４ｅが形成された可撓性環状部材２４ｄを備える。このため、第２配線挿通部２４ｂ及び第３配線挿通部２４ｃを通過する配線が、可撓性環状部材２４ｄに囲われるため、第２配線挿通部２４ｂ及び第３配線挿通部２４ｃから抜け出ることが防止することができる。また、可撓性環状部材２４ｄが切欠き２４ｅを有していることから、切欠き２４ｅを広げるように可撓性環状部材２４ｄを変形させることで、電源配線Ｈ１及びＬＡＮ配線Ｈ２を第２配線挿通部２４ｂ及び第３配線挿通部２４ｃに容易に通すことが可能となり、電源配線Ｈ１及びＬＡＮ配線Ｈ２の設置作業が容易となる。
【００６４】
また、本実施形態の第一テーブル什器１００及び第二テーブル什器２００は、配線挿通部（配線挿通部２３ａ、第１配線挿通部２４ａ、第２配線挿通部２４ｂ及び第３配線挿通部２４ｃ）が、上方に向けて開放された凹部からなる。このため、電源配線Ｈ１及びＬＡＮ配線Ｈ２を上方から下すことによって容易に配線挿通部に設置することができ、電源配線Ｈ１及びＬＡＮ配線Ｈ２の設置作業が容易となる。
【００６５】
また、本実施形態の第一テーブル什器１００及び第二テーブル什器２００は、引出し本体２１の前面側を形成する前面パネル２３と、引出し本体２１の背面側を形成する背面パネル２４と、に配線挿通部を備えるため、引出し本体２１内において電源配線Ｈ１及びＬＡＮ配線Ｈ２を直線状に配設することができる。このため、電源配線Ｈ１及びＬＡＮ配線Ｈ２への負荷を低減させることができる。
【００６６】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００６７】
例えば、上記実施形態においては、前面パネル２３及び背面パネル２４に配線挿通部が設けられた構成について説明した。しかしながら、本発明はこれに限定されるものではなく、少なくとも他の什器に対向配置される前面パネル２３に配線挿通部を設け、引出し本体２１を介して送り配線可能な形態であれば採用することが可能である。
【００６８】
また、上記実施形態においては、第２配線挿通部２４ｂ及び第３配線挿通部２４ｃに可撓性環状部材２４ｄを設ける構成について説明した。しかしながら、本発明はこれに限定されるものではなく、例えば、第２配線挿通部２４ｂ及び第３配線挿通部２４ｃにラバー部材に孔が形成された配線保持部等を設けても良い。
【００６９】
また、上記実施形態においては、電源タップに対して磁石が設けられていることが望ましい。これによって、引出し本体２１やダクト１４を常磁性体材料からなる場合には、電源タップを引出し本体２１やダクト１４に対して固着させることができる。
【００７０】
また、上記実施形態においては、天板１１の平面視形状が正方形であり、脚部１２を４つ備えた構成について説明した。しかしながら、本発明はこれに限定されるものではなく、例えば、天板の平面視形状が長方形であっても良い。また、例えば、天板の平面視形状が五角形や六角形等の多角形である各角部に脚部が設けられた構成を採用することも可能である。
【００７１】
また、上記実施形態においては、本発明の引出し付什器をテーブル什器である第一テーブル什器１００及び第二テーブル什器２００に適用した例について説明した。しかしながら、本発明はこれに限定されるものではなく、他の引出し付什器（例えばワゴン什器）に適用することも可能である。
【符号の説明】
【００７２】
１……テーブルシステム、１１……天板、１１ａ……作業面、１２……脚部、１２ａ……第１脚部、１２ｂ……第２脚部、１２ｃ……第３脚部、１２ｄ……第４脚部、１３……引出し機構、１３ａ……第１引出し機構、１３ｂ……第２引出し機構、１３ｃ……第３引出し機構、１３ｄ……第４引出し機構、１４……ダクト、２０……支持レール（支持手段）、２０ａ……突出部、２１……引出し本体、２２……底板、２３……前面パネル（立片）、２３ａ……配線挿通部、２４……背面パネル（立片）、２４ａ……第１配線挿通部、２４ｂ……第２配線挿通部、２４ｃ……第３配線挿通部、２４ｄ……可撓性環状部材、２５……側面パネル、３０……固定用アーム、３１……モニター支持部、３２……コンソールボックス、３３……バックパネル、３４……アンダーカバー、１００……第一テーブル什器（引出し付什器、テーブル什器、他の什器）、２００……第二テーブル什器（引出し付什器、テーブル什器、他の什器）、３００……モニタースタンド（他の什器）、Ｈ１……電源配線（配線）、Ｈ１１〜Ｈ１７……電源タップ、Ｈ２……ＬＡＮ配線（配線）、Ｈ２１〜Ｈ２５……モジュラージャック、Ｍ……モニター、Ｒ……ルータ
【図１】
2015084997.tif 000003
【図２】
2015084997.tif 000004
【図３】
2015084997.tif 000005
【図４】
2015084997.tif 000006